(57)【要約】      （修正有）【課題】２種類以上の小物を収容するだけでなく、複数個の容器を種々の形状に配置したり、分解して容易に洗浄できる、などのさまざまな付加価値を持たせた小物入れを提供する。【解決手段】上側部分１および下側部分２の２つに分離可能に結合してなる小物入れであって、上側部分は三角筒以上の筒状であり、仕切り板１２によって少なくとも２以上の収容室１３、１４に分割され、上側部分の上端面１１の高さは収容室において異なっている。下側部分は、小物を収容する容器３１を形成するとともに、永久磁石３８と磁石付着性金属板の双方を内蔵し、磁石付着性金属壁に取り付け可能である。【選択図】図３
0003226175.tif 000002
【実用新案登録請求の範囲】
【請求項１】
上側部分（１）および下側部分（２）を分離可能に結合してなる小物入れであって、
前記上側部分（１）は三角筒以上の筒状であり、かつ、仕切り板（１２）によって少なくとも２以上の収容室（１３，１４）に分割されており、さらに、前記筒状の上側部分（１）の上端面（１１）の高さは前記収容室（１３，１４）において異なり、
前記下側部分（２）は、小物を収容する容器（３１）を形成するとともに、永久磁石（３８）と磁石付着性金属板（３９）の双方を内蔵していることを特徴とする小物入れ。
【請求項２】
前記下側部分（２）は内側部分（３）と、この内側部分（３）を被覆する外側部分（４）からなるものであり、
前記下側部分内側部分（３）は、小物を収容する容器（３１）を形成するとともに、前記内側部分（３）が前記永久磁石（３８）と前記磁石付着性金属板（３９）の双方を内蔵している請求項１記載の小物入れ。
【請求項３】
前記下側部分外側部分（４）は前記内側部分（３）を被覆する軟質ゴムである請求項２記載の小物入れ。
【請求項４】
前記下側部分（２）の外壁が３面からなり、そのうちの１面に前記永久磁石（３８）が、他の２面に前記磁石付着性金属板（３９）が内蔵されている請求項１〜３のいずれかに記載の小物入れ。
【請求項５】
前記小物が歯ブラシ（ＴＢ）と、歯間ブラシ（ＩＢ）及び／又は糸ようじである請求項１〜4のいずれかに記載の小物入れ。
【考案の詳細な説明】
【技術分野】
【０００１】
本考案は小物入れに関する。以下の説明では「小物」として歯ブラシと歯間ブラシ、糸ようじを例にして説明しているが、他にも、文房具（例えば、鉛筆、万年品、ボールペン、等）、室内装飾品（例えば、生花、造花等）、その他、比較的小さな日用品（例えば、眼鏡、櫛、等）であってもよい。
【背景技術】
【０００２】
この種の小物入れは古来より多数存在する。歯ブラシと歯間ブラシの入れ物だけをとってみても、例えば、特開２０１９-６３４６３がある。これは、高さを異にする歯ブラシ収容部と歯間ブラシ収容部を一体化させた容器である。
【先行技術文献】
【特許文献】
【０００３】
【特許文献１】特開２０１９-６３４６３
【考案の概要】
【考案が解決しようとする課題】
【０００４】
前記従来技術は「歯ブラシと歯間ブラシ」とを同じ容器内に収容する点で斬新と思われるが、歯ブラシ収容部と歯間ブラシ収容部の高さを変えて一体化したというだけのものである。
【０００５】
本考案は単に２種類以上の小物を収容するというだけでなく、さらにさまざまな付加価値を持たせた小物入れを提供することを目的とする。
【課題を解決するための手段】
【０００６】
上記目的を達成する本考案の小物入れは、上側部分１および下側部分２を分離可能に結合してなり、前記上側部分１は三角筒以上（三角筒、四角筒、五角筒…）の筒状であり、かつ、仕切り板１２によって少なくとも２以上の収容室１３，１４に分割されており、さらに、前記筒状の上側部分１の上端面１１の高さは前記収容室１３，１４において異なり、前記下側部分２は、小物を収容する容器３１を形成するとともに、永久磁石３８と磁石付着性金属板３９の双方を内蔵していることを特徴とする。
【０００７】
好ましくは、前記下側部分２は内側部分３と、この内側部分３を被覆する外側部分４からなるものであり、前記内側部分３は、小物を収容する容器３１を形成するとともに、前記内側部分３は永久磁石３８と磁石付着性金属板３９の双方を内蔵している。このとき、前記外側部分４は前記内側部分３を被覆する軟質ゴムであることが好ましい。
【０００８】
好ましくは、前記下側部分２の外壁が３面からなり、そのうちの１面に永久磁石３８が、他の２面に磁石付着性金属板３９が内蔵されている。
【０００９】
好ましくは、前記小物が歯ブラシＴＢと、歯間ブラシＩＢおよび／または糸ようじである。
【考案の効果】
【００１０】
本考案によれば、次のような効果が得られる。
【００１１】
(1) 本考案は、高さの異なる少なくとも２つの収容室に仕切られているので、歯ブラシと歯間ブラシや糸ようじというような大きさや高さの異なる少なくとも２種類の小物を同じ容器内に収容することができる。
(2) 容器の一側面に磁石を内蔵させることにより、壁の金属付着性表面に付着させられるだけでなく、複数個の容器をさまざまな形状（例えば、六角形状、直線状、ジグザグ状、等）に寄せ集めて配置することができる。
(3) 上下２段として構成することにより、洗うときには分解して容器内の底まで汚れをふき取ることができ、清潔を保つことができる。
【図面の簡単な説明】
【００１２】
【図１】本考案の１実施例に係る小物入れの全体斜視図である。
【図２】（ａ）上側部分と（ｂ）下側部分に分離した状態の全体斜視図である。
【図３】（ａ）上側部分と（ｂ）下側部分に分離した状態の全体縦断面図である。
【図４】上側部分の、（ａ）平面図、（ｂ）正面図、（ｃ）底面図、（ｄ）上記（ｂ）のＡ−Ａ断面図、である。
【図５】下側部分の内側部分における、（ａ）平面図、（ｂ）正面図、（ｃ）底面図、（ｄ）上記（ｂ）のＡ−Ａ断面図、（ｅ）上記（ａ）のＢ−Ｂ断面図、（ｆ）上記（ｂ）のＣ−Ｃ断面図、である。
【図６】下側部分の外側部分における、（ａ）平面図、（ｂ）正面図、（ｃ）底面図、（ｄ）上記（ｂ）のＡ−Ａ断面図、（ｅ）上記（ｂ）のＣ−Ｃ断面図である。
【図７】複数の小物入れを配列した状態の平面図であり、（ａ）は六角形状、（ｂ）は直線状である。
【考案を実施するための形態】
【００１３】
以下、添付の図面に基づき、歯ブラシＴＢと歯間ブラシＩＢを例にして、本考案の小物入れの１実施例を説明する。
【実施例１】
【００１４】
図１はこの小物入れの全体図である。図２に示すように、この小物入れは上側部分１と下側部分２からなり、下側部分２はさらに内側部分３と外側部分４からなる。この例では、上側部分１の高さは最高位置で約４cm、最低位置で約２．５ｃｍであり、下側部分２の高さは約４ｃｍである。上側部分１と下側部分２を正面視した幅はほぼ同じで、約４ｃｍである。
【００１５】
１.  上側部分
上側部分１は中空の三角筒であるが、上端面１１は平面ではなく、傾斜している。本例では傾斜角度は約２５度である。この傾斜は収容する歯ブラシＴＢと歯間ブラシＩＢを見やすくすること、歯ブラシＴＢに比べて背の低い歯間ブラシＩＢを取り出しやすくすることが目的である。製造段階において、収容する２物品の高さに応じて傾斜角度を自由に変更することができる。例えば約５度〜５０度、好ましくは約１０度〜４０度とすることができる。同様の目的は傾斜ではなく、階段状に高低差を設けることによっても叶えることができる。
【００１６】
図３および図４に示すように、上側部分１の内側には三角筒の２面を架橋するように仕切り板１２が設けられている。この仕切り板１２によって形成された大きい方の空間１３には歯ブラシＴＢが収容され、小さい方の空間１４には歯間ブラシＩＢや糸ようじ（図示せず）が収容されることになる。
【００１７】
上側部分１は合成樹脂により一体成型されている。好ましい合成樹脂としては、例えば、スチレン系ポリマー、ポリカーボネート、ポリプロピレン、硬質の熱可塑性エラストマー（例えばスチレン系エラストマー、オレフィン系エラストマー、ポリエステル系エラストマー）などの硬質で強靭な樹脂があげられる。
【００１８】
２−１．下側部分の内側部分
下側部分２の内側部分３は、図５に示すように、上方端部３０が少しくぼみ、上側部分１との結合部が形成されている。結合は圧力をかけて押し込むだけである。上側部分１の下端には小さな突起１５（図４（ｃ））があり、内側部分３の結合部には小さなくぼみ３２（図５（ｂ））があるので、相互にはまりあって、強力な結合が完成する。
【００１９】
内側部分３は、図３（ｂ）の断面図からわかるように、縦断面がＶ字状の容器３１となっている。この容器３１の底部は三角筒のそれぞれの角部に向かう補強板３２により支持されている。
【００２０】
内側部分３の３つの側面には下端とつながる逆Ｕ字型の切込み３３が設けられており、この切込み３３に沿って小さな空間３４が形成されている。この空間３４を包囲するように、畝状突起３５が左右の三角筒側板から２本伸び、さらに別の畝状突起３６が１本、Ｖ字状容器３１の壁側から伸びている。
【００２１】
このようにして形成された3つの小さな空間３４に対して、１個の永久磁石板３８および２個の金属板３９がはめ込まれている。Ｖ字状容器３１の壁側から伸びている畝状突起の先端にはＬ字型のストッパー３７（図３（ｂ））が設けられているので、永久磁石板３８や２個の金属板３９は脱落することがない。
【００２２】
内側部分３の材質は上側部分の材質と同じであることが経済的であって好ましいが、必要に応じて別の合成樹脂とすることもできる。
【００２３】
２−２.  下側部分の外側部分
下側部分の外側部分４は軟質ゴムからなり、その弾性を利用して内側部分３に被覆することが可能である。外側部分４は内側部分３を包囲するとともに柔らかで温かい手触りをもたらすものである。そのため、図７に示すように、内側部分とほぼ同じ大きさと形状を有する。図６（ａ）および図７（ａ）において、壁部および底部に見える半円状の模様のようなものは浅い隆起４１，４２であり、下側部分の内側部分と外側部分の摩擦抵抗を高めるものである。
【００２４】
外側部分４の弾性ゴムとしては、天然ゴム、ブチルゴム、クロロプレンゴム、スチレン・ブタジエンゴム、ブタジエンゴム、アクリロニトリル・ブタジエンゴム、アクリルゴム、イソブチレンゴム、イソプレンゴム、エチレンプロピレンゴム、ポリエチレン、塩素化ポリエチレン、スルホン化ポリエチレン、塩素化ポリプロピレン、スルホン化ポリプロピレン、エチレン・酢酸ビニル共重合体、ポリ塩化ビニル又はその共重合体、ウレタンゴム、フッ素ゴム、シリコンゴム、スチレン・イソプレン・スチレンブロック共重合体又はその水添物、スチレン・イソプレン共重合体又はその水添物、スチレン・ブタジエンブロック共重合体又はその水添物、スチレン・ブタジエン・スチレンブロック共重合体又はその水添物などの一般的なものが挙げられる。
【００２５】
下側部分２の内側部分３と外側部分４は、接着剤（図示せず）により一体化して密着させることが好ましい。上記のように、下側部分には永久磁石板３８や金属板３９を内蔵させているので、水分により腐食させないようにするためである。ゴムとプラスチックとを接合する接着剤としては、例えば、特開２００８-２０２０１６が開示しているような接着剤を使用することができる。
【００２６】
本実施例の小物入れにおいて、三角筒の１側面に永久磁石板、残りの２側面に金属板を取り付けた場合、永久磁石板を有する１側面を磁石付着性の壁面に付着させて固定することができるのはもちろんである。そのほかに、例えば図８に示すように、６個の小物入れを相互に付着させて六角形状にしたり、直線状、ジグザグ状などに配列したりすることができる。このような使用法は、洗面所の限られたスペースの有効利用に資するだけでなく、幼児に対して歯磨きに対する興味を持たせることになるであろう。
【００２７】
さらに、本考案の小物入れは上下２分割されているので、容器内部が汚れたときには上側部分１と下側部分２に分解して、簡単に容器の底まで清掃することができる。
【符号の説明】
【００２８】
１     上側部分
１１   上端面
１２   仕切り板
１３   空間
１４   空間
１５   突起
２     下側部分（内側部分３と外側部分４）
３     下側部分の内側部分
３０   上方端部
３１   容器
３２   補強板
３３   切込み
３４   空間
３５   畝状突起
３６   畝状突起
３７   ストッパー
３８   永久磁石板
３９   金属板
４     下側部分の外側部分
４１   隆起
４２   隆起
ＩＢ   歯間ブラシ
ＴＢ   歯ブラシ
【図１】
0003226175.tif 000003
【図２】
0003226175.tif 000004
【図３】
0003226175.tif 000005
【図４】
0003226175.tif 000006
【図５】
0003226175.tif 000007
【図６】
0003226175.tif 000008
【図７】
0003226175.tif 000009